【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
記録手段に記録されたデータを削除させる削除命令を含む複数の命令を保持する保持手段と、
前記保持手段に保持された前記複数の命令から処理すべき命令を選択する選択手段と、
前記選択手段が選択した前記命令の処理を行う処理手段と、
前記選択手段が選択した前記削除命令の削除対象である第一のデータの削除が前記処理手段によって処理されない場合、前記記録手段に記録された第二のデータを削除対象として決定する決定手段と、
前記決定手段が削除対象として決定した前記第二のデータを前記記録手段から削除させる削除命令を他の前記命令に優先して前記処理手段に処理されるようにして前記保持手段に保持させる命令手段とを有することを特徴とする情報処理装置。
【請求項２】
前記保持手段は、第一の保持手段と第二の保持手段とを有し、
前記命令手段は、前記第二のデータを削除させる削除命令を前記第二の保持手段に保持させ、
前記選択手段は、前記第二の保持手段に保持された命令を前記第一の保持手段に保持された命令に優先して選択することを特徴とする請求項１に記載の情報処理装置。
【請求項３】
前記選択手段は、前記第一の保持手段に保持された命令を命令が前記第一の保持手段に保持された順序に基づいて選択し、
前記命令手段は、前記選択手段が前記第一の保持手段から選択した前記削除命令の削除対象である前記第一のデータの削除が前記処理手段によって処理されない場合、前記記録手段から前記第二のデータを削除させる削除命令を前記第二の保持手段に保持させることを特徴とする請求項２に記載の情報処理装置。
【請求項４】
前記記録手段がデータを記録可能な容量が所定の閾値より少なくなったか判断する判断手段を有し、
前記決定手段は、前記容量が前記所定の閾値より少なくなったと前記判断手段が判断すると前記記録手段に記録された第一のデータを削除対象として決定し、
前記命令手段は、前記記録手段から前記第一のデータを削除させる削除命令を前記保持手段に保持させることを特徴とする請求項１に記載の情報処理装置。
【請求項５】
前記記録手段に所定期間を超えて記録されているデータがあるか判断する判断手段を有し、
前記決定手段は、前記所定期間を超えて記録されているデータがあると前記判断手段が判断すると前記所定期間を超えて記録されている第一のデータを削除対象として決定し、
前記命令手段は、前記決定手段が決定したデータを削除させる削除命令を前記保持手段に保持させることを特徴とする請求項１に記載の情報処理装置。
【請求項６】
前記決定手段は、前記記録手段にデータが記録された時刻に基づいて前記削除対象となるデータを決定することを特徴とする請求項１に記載の情報処理装置。
【請求項７】
前記決定手段は、前記記録手段から読出しが行われたデータは削除対象としないことを特徴とする請求項１に記載の情報処理装置。
【請求項８】
前記決定手段は、前記記録手段に一定期間を超えて記録されていないデータは削除対象としないことを特徴とする請求項１に記載の情報処理装置。
【請求項９】
前記命令手段は、命令が前記保持手段に保持された順序に基づいて記選択手段が前記保持手段から選択した第一の削除命令の削除対象である前記第一のデータの削除が前記処理手段によって処理されない場合、前記記録手段から前記第二のデータを削除させる第二の削除命令を前記保持手段に保持させ、
前記選択手段は、前記保持手段に保持された前記第二の削除命令を、前記第二の削除命令よりも前に前記保持手段に保持された他の命令に優先して選択する
ことを特徴とする請求項１に記載の情報処理装置。
【請求項１０】
記録手段がデータを記録可能な容量が所定の閾値より少なくなったか判断する判断手段と、
前記容量が前記所定の閾値より少なくなったと前記判断手段が判断した場合に前記記録手段に記録されたデータの削除を命令する命令手段と、
前記記録手段からデータの読出しを行う読出手段とを有し、
前記判断手段は、前記読出手段が前記読出しを行っている間は前記閾値を大きくすることを特徴とする情報処理装置。
【請求項１１】
前記命令手段が命令した削除命令を含む複数の命令を保持する保持手段と、
前記保持手段に保持された前記複数の命令から処理すべき命令を選択する選択手段と、
前記選択手段が選択した前記命令の処理を行う処理手段と、
前記選択手段が選択した前記削除命令の削除対象である第一のデータの削除が前記処理手段によって処理されない場合、前記記録手段に記録された第二のデータを削除対象として決定する決定手段とを有し、
前記命令手段は、前記記録手段から前記第二のデータを削除させる削除命令を他の前記命令に優先して前記処理手段に処理されるようにして前記保持手段に保持させことを特徴とする請求項１０に記載の情報処理装置。
【請求項１２】
保持手段が、記録手段に記録された前記データを削除させる削除命令を含む複数の命令を保持する保持ステップと、
選択手段が、前記保持ステップにおいて保持された前記複数の命令から処理すべき命令を選択する第一の選択ステップと、
処理手段が、前記第一の選択ステップにおいて選択された前記命令の処理を行う処理ステップと、
決定手段が、前記第一の選択ステップにおいて選択された前記削除命令の削除対象である第一のデータの削除が前記処理ステップによって処理されない場合、前記記録手段に記録された第二のデータを削除対象として決定する決定ステップと、
命令手段が、前記決定ステップにおいて削除対象として決定した前記第二のデータを前記記録手段から削除させる削除命令を他の前記命令に優先して処理されるようにして前記保持手段に保持させる命令ステップとを有することを特徴とする情報処理装置における情報処理方法。
【請求項１３】
前記第一の選択ステップにおいて、前記保持手段に保持された命令を該命令が前記保持手段に保持された順序に基づいて選択し、
前記命令ステップにおいて、前記第一の選択ステップにおいて前記保持手段から選択された第一の削除命令の削除対象である前記第一のデータの削除が前記処理ステップにおいて処理されない場合、前記記録手段から前記第二のデータを削除させる第二の削除命令を前記保持手段に保持させ、
前記選択手段が、第二の選択ステップにおいて、前記保持手段に保持された前記第二の削除命令を、前記第二の削除命令よりも前に前記保持手段に保持された他の命令に優先して選択する
ことを特徴とする請求項１２に記載の情報処理方法。
【請求項１４】
コンピュータに、
記録手段に記録された前記データを削除させる削除命令を含む複数の命令を保持手段に保持させる保持手順と、
前記保持手順において保持された前記複数の命令から処理すべき命令を選択する第一の選択手順と、
前記第一の選択手順において選択した前記命令の処理を行う処理手順と、
前記第一の選択手順において選択した前記削除命令の削除対象である第一のデータの削除が前記処理手順において処理されない場合、前記記録手段に記録された第二のデータを削除対象として決定する決定手順と、
前記決定手順において削除対象として決定した前記第二のデータを前記記録手段から削除させる削除命令を他の前記命令に優先して処
理されるようにして保持させる命令手順とを実行させるためのプログラム。
【請求項１５】
前記コンピュータに、
前記第一の選択手順において、前記保持手段に保持された命令を該命令が前記保持手段に保持された順序に基づいて選択させ、
前記命令手順において、前記第一の選択手順において前記保持手段から選択された第一の削除命令の削除対象である前記第一のデータの削除が前記処理手順において処理されない場合、前記記録手段から前記第二のデータを削除させる第二の削除命令を前記保持手段に保持させる処理を実行させ、
前記保持手段に保持された前記第二の削除命令を、前記第二の削除命令よりも前に前記保持手段に保持された他の命令に優先して選択する第二の選択手順を前記コンピュータに実行させるための請求項１４に記載のプログラム。